(57)【要約】【課題】計量膜の往復運動の安定化を図るとともに、器差性能の向上を図ることができる膜式ガスメータを提供することにある。【解決手段】ガス流入口とガス流出口及びガス流入口と連通する計量室２３を備えたガスメータ本体２１と、ガスメータ本体の内部に設けられガス流入口から流入されたガスを計量室に分配するバルブ機構と、計量室に設けられガス圧によって往復運動する膜板２６を備えた計量膜２５と、ガスメータ本体にバルブ機構と連動して回動自在に設けられた翼軸２９と、一端部が翼軸に固定され他端部が膜板に連結部を介して回動自在に連結され、該膜板の往復運動を翼軸に回動運動として伝達する回動翼３０とを具備し、前記連結部は、膜板に設けられた軸受け穴２７を有する丁番台２８と、回動翼に設けられ丁番台の軸受け穴に回動自在に軸支された丁番軸３１とからなり、軸受け穴の形状を、丁番軸と密に嵌合する真円部分２７ａから翼軸を揺動中心とする丁番軸の円弧軌跡の膨らみ方向に長い長穴にしたことを特徴とする。【選択図】      図１
2006234641.tif 000002
【特許請求の範囲】
【請求項１】
ガス流入口とガス流出口及び前記ガス流入口と連通する計量室を備えたガスメータ本体と、
前記ガスメータ本体の内部に設けられ前記ガス流入口から流入されたガスを前記計量室に分配するバルブ機構と、
前記計量室に設けられガス圧によって往復運動する膜板を備えた計量膜と、
前記ガスメータ本体に前記バルブ機構と連動して回動自在に設けられた翼軸と、
一端部が前記翼軸に固定され他端部が前記膜板に連結部を介して回動自在に連結され、該膜板の往復運動を前記翼軸に回動運動として伝達する回動翼と、
を具備した膜式ガスメータにおいて、
前記連結部は、前記膜板に設けられた軸受け穴を有する丁番台と、前記回動翼に設けられ前記丁番台の軸受け穴に回動自在に軸支された丁番軸とからなり、前記軸受け穴の形状を、前記丁番軸と密に嵌合する真円部分から前記翼軸を揺動中心とする前記丁番軸の円弧軌跡の膨らみ方向に長い長穴にしたことを特徴とする膜式ガスメータ。
【請求項２】
ガス圧によって往復運動する膜板を備えた計量膜の往復運動の死点位置において、前記丁番軸は前記軸受け穴の真円部分に嵌合することを特徴とする請求項１記載の膜式ガスメータ。
【発明の詳細な説明】
【技術分野】
【０００１】
この発明は、ガス流量を計量する膜式ガスメータに関する。
【背景技術】
【０００２】
一般家庭に据え付けられる膜式ガスメータは、ガスメータ本体が上部ケースと下部ケースとからなり、上部ケースにはガス流入口とガス流出口及びバルブ機構が設けられている。下部ケースには計量室が設けられ、この計量室にはガス流入口から流入するガス圧によって往復運動する計量膜が設けられている。
【０００３】
計量膜には膜板が設けられ、膜板には翼軸に一端部が固定された回動翼の他端部が回動自在に連結されている。そして、ガス流入口から流入するガス圧によって往復運動する計量膜の往復運動を翼軸を介してバルブ機構に連動させ、バルブ機構と連動するカウンタによってガス流量を積算表示するようになっている（例えば、特許文献１参照。）。
【０００４】
図２は従来の膜式ガスメータの計量室内部構造を示し、翼軸１は、ガスメータ本体２の計量室３を構成する内側壁４の偏った位置に設けられ、膜板５を備えた計量膜６は、計量室３の略中央部に設けられている。そして、翼軸１に一端部が固定された回動翼７が計量室３の略中央部まで延長され、その端部が連結部８を介して膜板５に回動自在に連結されている。従って、回動翼７は翼軸１を揺動中心として揺動すると、回動翼７の先端部の膜板５との連結部８は円弧軌跡を描くことになる。
【特許文献１】特開平５−１６４５８９号公報
【発明の開示】
【発明が解決しようとする課題】
【０００５】
ところが、従来の膜式ガスメータにおける回動翼７の先端部の膜板５との連結部８は、膜板５に真円の軸受け穴９を有する丁番台１０が固定され、回動翼７に丁番台１０の軸受け穴９に回動自在に軸支される丁番軸１１が設けられている。一方、回動翼７は翼軸１を揺動中心として揺動すると、回動翼７の先端部の丁番軸１１は円弧軌跡を描く。
【０００６】
すなわち、図３（ａ）の一方の死点位置に示すように、計量室３の一方側に位置している膜板５が計量室３に流入するガス圧によって計量室３の他方側に移動する際に、図３（ｂ）の中間点に示すように、丁番軸１１は回動翼７の先端部方向に膨らむ円弧軌跡を描く。従って、膜板５は回動翼７の先端部方向に押されながら移動し、回動翼７の先端部方向に位置する膜板５が、その反対方向（回動翼７の末端部方向）より先行して移動し、膜板５が傾きながら反転移動する。そして、図３（ｃ）の他方の死点位置に達したとき、計量膜６が整膜板１２に押し付けられて膜板５が一方の死点位置と平行に整えられる。
【０００７】
従って、計量室３の内部でガス圧によって往復運動する計量膜６と一体的に移動する膜板５は揺動を繰り返すことになり、計量膜６の反転移動時の振動が大きいという問題がある。
【０００８】
そこで、計量膜６の反転移動時の振動を防止するために、図４（ａ）〜（ｃ）に示すように、丁番台１０の軸受け穴１３の形状を回動翼７の長手方向に長い長穴にし、丁番軸１１が軸受け穴１３の内部で回動翼７の長手方向に移動自在にしたものが知られている。
【０００９】
この構成によれば、丁番軸１１が軸受け穴１３の内部で移動するため、回動翼７が翼軸１を揺動中心として揺動し、丁番軸１１が中間点で円弧軌跡の膨らみ方向に移動しても膜板５は回動翼７の先端部方向に押されることはなく、膜板５が傾くことはない。従って、計量膜６が円滑に移動し、反転移動時の振動をなくすことができる。しかし、図４の（ａ）と（ｃ）との死点位置において、丁番軸１１が軸受け穴１３の内部で移動自在であるため、回動翼７と膜板５の位置が計量室３の内部で不安定となり、器差性能がばらつくという試験結果がある。
【００１０】
この発明は、前記事情に着目してなされたもので、その目的とするところは、計量膜の往復運動の安定化を図るとともに、器差性能の向上を図ることができる膜式ガスメータを提供することにある。
【課題を解決するための手段】
【００１１】
この発明は、前記目的を達成するために、請求項１は、ガス流入口とガス流出口及び前記ガス流入口と連通する計量室を備えたガスメータ本体と、前記ガスメータ本体の内部に設けられ前記ガス流入口から流入されたガスを前記計量室に分配するバルブ機構と、前記計量室に設けられガス圧によって往復運動する膜板を備えた計量膜と、前記ガスメータ本体に前記バルブ機構と連動して回動自在に設けられた翼軸と、一端部が前記翼軸に固定され他端部が前記膜板に連結部を介して回動自在に連結され、該膜板の往復運動を前記翼軸に回動運動として伝達する回動翼とを具備した膜式ガスメータにおいて、
前記連結部は、前記膜板に設けられた軸受け穴を有する丁番台と、前記回動翼に設けられ前記丁番台の軸受け穴に回動自在に軸支された丁番軸とからなり、前記軸受け穴の形状を、前記丁番軸と密に嵌合する真円部分から前記翼軸を揺動中心とする前記丁番軸の円弧軌跡の膨らみ方向に長い長穴にしたことを特徴とする。
【００１２】
請求項２は、請求項１記載のガス圧によって往復運動する膜板を備えた計量膜の往復運動の死点位置において、前記丁番軸は前記軸受け穴の真円部分に嵌合することを特徴とする。
【００１３】
前記構成によれば、回動翼が翼軸を揺動中心として揺動したとき、回動翼の先端部の丁番軸は円弧軌跡を描き、その円弧軌跡の膨らみ方向に移動するが、丁番軸は軸受け穴の真円部分と延長部分との間を移動できるため、膜板が回動翼の先端部方向に押されることはない。従って、膜板が計量室の内部で往復運動する際に傾くことはなく平行移動するため、計量膜が円滑に移動し、反転移動時の振動をなくすことができる。また、膜板が死点位置にあるとき丁番軸は軸受け穴の真円部分に密に嵌合するため、回動翼と膜板を計量室３の内部で安定化させることができる。
【発明の効果】
【００１４】
この発明によれば、計量室の内部で膜板が平行移動しながら往復運動するため、計量膜の往復運動の安定化を図るとともに、器差性能の向上を図ることができるという効果がある。
【発明を実施するための最良の形態】
【００１５】
以下、この発明の実施の形態を図面に基づいて説明する。
【００１６】
図１（ａ）〜（ｃ）は第１の実施形態を示し、計量室の内部で計量膜とともに膜板が往復運動している状態を示す。膜式ガスメータの基本的構成は従来と同一であるため説明を省略する。ガスメータ本体２１を構成するダイキャスト等からなる下部ケース２２には計量室２３が設けられている。下部ケース２２の内壁には板金製等の整膜板２４が固定されている。
【００１７】
下部ケース２２の内壁と整膜板２４との間には計量膜２５の外周縁部がパッキング２５ａを介して挟持固定され、この計量膜２５の中央部には２枚のプレートからなる膜板２６が計量膜２５を挟持するように固定されている。
【００１８】
膜板２６には軸受け穴２７を有する丁番台２８が固定されている。下部ケース２２の内壁には翼軸２９が回動自在に軸支され、この翼軸２９には回動翼３０の基端部が固定されている。回動翼３０の先端部には丁番台２８の軸受け穴２７に回動自在に軸支される丁番軸３１が設けられている。
【００１９】
丁番軸３１は断面が真円の円柱棒状であるが、この丁番軸３１が軸支される丁番台２８の軸受け穴２７は翼軸２９を揺動中心とする丁番軸３１の円弧軌跡の膨らみ方向に長い長穴に形成されている。すなわち、軸受け穴２７は、膜板２６が図１（ａ）に示す一方の死点位置と図１（ｃ）に示す他方の死点位置にあるときの丁番軸３１と密に嵌合する真円部分２７ａから回動翼３０の先端部方向に連続する延長部分２７ｂを有した長穴であり、その全長は丁番軸３１の直径に等しい真円部分２７ａの約１．５倍に形成されている。
【００２０】
そして、丁番軸３１は軸受け穴２７の真円部分２７ａと延長部分２７ｂとの間を移動できるようになっている。このため、回動翼３０が翼軸２９を揺動中心として揺動したとき、回動翼３０の先端部の丁番軸３１は円弧軌跡を描き、図１（ｂ）の中間点で、その円弧軌跡の膨らみ方向に最大に移動するが、丁番軸３１は軸受け穴２７の延長部分２７ｂに移動して膜板２６が回動翼３０の先端部方向に押されるのを防止している。従って、膜板２６が計量室２３の内部で往復運動する際に傾くことはなく平行移動するため、計量膜２５が円滑に移動し、反転移動時の振動をなくすことができる。
【００２１】
また、膜板２６が図１（ａ）に示す一方の死点位置と図１（ｃ）に示す他方の死点位置にあるときの丁番軸３１は軸受け穴２７の真円部分２７ａに密に嵌合するため、回動翼３０と膜板６が計量室２３の内部で安定し、器差性能の向上を図ることができる。
【００２２】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２３】
【図１】この発明の第１の実施形態を示し、（ａ）〜（ｃ）は計量室の内部で計量膜とともに膜板が往復運動している状態の横断平面図。
【図２】従来の膜式ガスメータの計量室内部構造を示す正面図。
【図３】従来の膜式ガスメータを示し、（ａ）〜（ｃ）は計量室の内部で計量膜とともに膜板が往復運動している状態の横断平面図。
【図４】従来の別の膜式ガスメータを示し、（ａ）〜（ｃ）は計量室の内部で計量膜とともに膜板が往復運動している状態の横断平面図。
【符号の説明】
【００２４】
２１…ガスメータ本体、２３…計量室、２５…計量膜、２６…膜板、２７…軸受け穴、２８…丁番台、２９…翼軸、３０…回動翼、３１…丁番軸
【図１】
2006234641.tif 000003
【図２】
2006234641.tif 000004
【図３】
2006234641.tif 000005
【図４】
2006234641.tif 000006